(57)【要約】  【課題】  フッ素樹脂リング又は充填材入りフッ素樹脂リングどうしが密着することがなく、シール性能の劣化がないセグメントシールを提供する。  【解決手段】  軸５０上に介装された非接触リング１と接触リング２、介装リング３を有し、非接触リング１は、その端面がケーシング４０と接触して、シール面を形成し、接触リング２は軸５０と接触し、軸５０との間でシール面を形成し、介装リング３は非接触リング１と接触リング２の間に介装されている。非接触リング１と接触リング２はフッ素樹脂リング又は充填材入りフッ素樹脂リング、介装リング３はカーボンリングなどフッ素樹脂を含まないリングであり、フッ素樹脂リング又は充填材入りフッ素樹脂リングである非接触リング１と接触リング２が接触せず、その端面が密着することがない。【選択図】  図２
2005201314.tif 000002
【特許請求の範囲】
【請求項１】
複数のリングを有するセグメントシールにおいて、
前記リングの中の少なくとも１をフッ素樹脂を含むフッ素樹脂リングとし、
該フッ素樹脂リングに隣接するセグメントリングをフッ素樹脂を含有しないリングとする、
ことを特徴とするセグメントシール。
【請求項２】
複数のリングを有するセグメントシールにおいて、
前記リングの中の少なくとも２をフッ素樹脂を含むフッ素樹脂リングとし、
該フッ素樹脂リングとフッ素樹脂リングとの間に少なくとも１のフッ素樹脂を含有しないリングを介装する、
ことを特徴とするセグメントシール。
【請求項３】
複数のリングを有するセグメントシールにおいて、
前記リングの中の隣接する少なくとも２のリングをフッ素樹脂を含むフッ素樹脂リングとし、
該フッ素樹脂リングとフッ素樹脂リングとの間にフッ素樹脂を含有しない材質を介装した、
ことを特徴とするセグメントシール。
【発明の詳細な説明】
【技術分野】
【０００１】
この発明は、セグメントシールに関する。
【背景技術】
【０００２】
セグメントシールは回転軸の周囲に装着され、該回転軸とケーシングとの間をシールするシールリングとして種々のケースで用いられている。
セグメントシールはセグメントリングと称される複数のリングを有しており、該リングによりシール面を形成してシールを行う構成になっている。
セグメントリングはリング形状のものを半径方向に複数にカットした形状のセグメント片をリング状に接合し、その外周にガータスプリングを装着してリング形状を維持する構成になっている。
セグメントリングには回転軸に接触して回転軸との間にシール面を形成する接触リングと、回転軸に接触せずカット面を密着させて端面に隙間を設けず、端面にシール面を形成する非接触リングとがある。通常、この接触リングと非接触リングとを用途に応じて組み合わせて使っている。
セグメントリングの材質は主としてカーボンが用いられるが、潤滑性に優れていることや、白色であり、内容物を着色しないことからフッ素樹脂も用いられている。フッ素樹脂リングにはガラス繊維を充填したものや、カーボンを充填したものなどがある。
【０００３】
【特許文献１】特開平７−１１９８４０号公報
【特許文献２】特開２００２−８９７１９号公報
【発明の開示】
【発明が解決しようとする課題】
【０００４】
しかし、フッ素樹脂を含むフッ素樹脂リングを隣接して使用すると、水分や油分あるいは真空、静電気などの影響でリングの端面どうしが密着する現象が生ずることがある。
その結果、接触式リングの半径方向の追従性が失われて、回転軸との隙間が大きくなり、シール性能が悪化する問題があった。
本発明は上記従来技術の問題を解決することを目的とする。
【課題を解決するための手段】
【０００５】
上記目的を達成するために、本発明は、複数のリングを有するセグメントシールにおいて、前記リングの中の少なくとも１をフッ素樹脂を含むフッ素樹脂リングとし、該フッ素樹脂リングに隣接するセグメントリングをフッ素樹脂を含有しないリングとする、ことを特徴とする。
またフッ素樹脂リングとフッ素樹脂リングとの間に少なくとも１のフッ素樹脂を含有しないリングを介装する、ように構成することも可能である。
更にフッ素樹脂リングとフッ素樹脂リングとの間にフッ素樹脂を含有しない材質を介装しても良い。
上記構成によれば、フッ素樹脂リングの端面同士が接触することがなく、端面同士の密着によるシール性の劣化が生じない。
【発明の効果】
【０００６】
本発明のセグメントシールによれば、シール性能の劣化がない。
【発明を実施するための最良の形態】
【０００７】
以下本発明の実施の形態を図面に基づいて説明する。
図１において、このセグメントシールは、軸５０上に介装された非接触リング１と接触リング２を有している。各非接触リング１、接触リング２は複数の円弧状のセグメントリングから構成され、ガータスプリング１１で外周側から拘束され、リング形状を形成するようになっている。
非接触リング１は軸５０と接触せず、その端面がケーシング４０と接触して、シール面を形成している。接触リング２は軸５０と接触し、軸５０との間でシール面を形成している。
非接触リング１と接触リング２は、スプリング１０によりケーシング４０方向に押圧されている。
【０００８】
この実施形態では、接触リング２はフッ素樹脂リング又は充填材入りフッ素樹脂リングとなっており、非接触リング１はカーボンリングなどフッ素樹脂を含まないリングになっている。
上記構成では、フッ素樹脂リング又は充填材入りフッ素樹脂リングどうしが接触しないため、密着が生ずることがなく、シール性能の劣化がない。
【０００９】
図２のセグメントシールは、軸５０上に介装された非接触リング１と接触リング２と介装リング３を有している。各非接触リング１、接触リング２、介装リング３は複数の円弧状のセグメントリングから構成され、ガータスプリング１１で外周側から拘束され、リング形状を形成するようになっている。
非接触リング１は軸５０と接触せず、その端面がケーシング４０と接触して、シール面を形成している。接触リング２は軸５０と接触し、軸５０との間でシール面を形成している。介装リング３は非接触リング１と接触リング２の間に介装され、非接触リングになっている。
非接触リング１と接触リング２、介装リング３は、スプリング１０によりケーシング４０方向に押圧されている。
【００１０】
上記構成において、非接触リング１と接触リング２はフッ素樹脂リング又は充填材入りフッ素樹脂リングとなっており、介装リング３はカーボンリングなどフッ素樹脂を含まないリングになっている。
上記構成では、フッ素樹脂リング又は充填材入りフッ素樹脂リングである非接触リング１と接触リング２が接触しないため、非接触リング１と接触リング２の端面が密着することがなく、シール性能の劣化がない。
【００１１】
図３のセグメントシールは、軸５０上に介装された非接触リング１と接触リング２を有している。各非接触リング１、接触リング２は、同様に複数の円弧状のセグメントリングから構成され、ガータスプリング１１で外周側から拘束され、リング形状を形成するようになっている。
非接触リング１は軸５０と接触せず、その端面がケーシング４０と接触して、シール面を形成している。接触リング２は軸５０と接触し、軸５０との間でシール面を形成している。
非接触リング１と接触リング２は、スプリング１０によりケーシング４０方向に押圧されている。
【００１２】
上記非接触リング１と接触リング２の間には、フッ素樹脂を含まない材質からなる介装材４が介装されている。
この実施形態では非接触リング１と接触リング２はフッ素樹脂リング又は充填材入りフッ素樹脂リングとなっているが、介装材４はフッ素樹脂を含まないため、非接触リング１と接触リング２の端面が接触して、密着することがなく、シール性能の劣化がない。
介装材４としては、クラフトペーパなどが使用可能である。
【図面の簡単な説明】
【００１３】
【図１】本発明の一実施形態を示す概略半断面図。
【図２】本発明の他の実施形態を示す概略半断面図。
【図３】本発明の更に他の実施形態を示す概略半断面図。
【符号の説明】
【００１４】
１：非接触リング、２：接触リング、３：介装リング、４：介装材、１０：スプリング、１１：ガータスプリング、４０：ケーシング、５０：軸。
【図１】
2005201314.tif 000003
【図２】
2005201314.tif 000004
【図３】
2005201314.tif 000005